(57)【特許請求の範囲】
【請求項１】
内部に収納部を有するバスケット本体の相対向する側壁の上縁に、側壁より外方へ向けて延設した取付体に、略コ字状の把手の基端部を回動自在に枢支し、該把手が収納部側に回動して底壁に対して略平行な維持状態を保つべく前記上縁に上方へ開口した支持段部を設け、該支持段部に略平行に載置された把手上に他のバスケットを積層可能となし、把手を外側から下方に回動すると、把手の握持部が枢支点より内側に位置し、重合した場合、上位のバスケットの把手の握持部が下位のバスケットの支持段部に入り込むように設定したことを特徴とするバスケット。
【請求項２】
把手として、前記支持段部の肉厚分と略同一の肉厚分に設定したものを利用してなる請求項１記載のバスケット。
【請求項３】
バスケット本体として、支持段部の高さと把手の肉厚分を略同一に設定し、また、支持段部に略平行に載置された把手の表面に凹溝を形成するとともに、該凹溝に嵌合し得る突起体を底壁の下面に形成したものを利用してなる請求項１又は２記載のバスケット。
【発明の詳細な説明】
【０００１】
【産業上の利用分野】
本発明は、単品で又は複数のものを上下に積層して使用することができ、小物等の収納物の整理等に用いることができるバスケットに関する。
【０００２】
【従来の技術】
従来の積層可能なバスケットとしては、実開平１−１３４０２６号公報に示されているようなものがあり、これを図１３、図１４を用いて説明すれば、上方へ広がり且つ上方及び前方上部を開放したバスケット本体５１の両側上縁５２の前後二ケ所に上方へ開口した凹陥部５３を形成するとともに、該バスケット本体５１の両側下端に前記凹陥部５３に係合し得る突起５４を先端下方に形成した支持部材５５を側方へスライド出没自在に設け、前記支持部材５５を押込んだ状態でその先端がバスケット本体５１の側面と略一致し且つ該支持部材５５を引出した状態で両側の突起５４間隔を対応する凹陥部５３間隔と一致するように設定したバスケット５６を構成するものである。
【０００３】
そして上記バスケット５６は、次のように作用するものである。先ずバスケット本体５１の両側下端に設けた支持部材５５を側方へスライドして、該支持部材５５の先端上方に形成した突起５４を下位のバスケット本体５１の両側上縁５２に形成した凹陥部５３に係合させる。
【０００４】
そして複数個のバスケット５６を上下に積層状態に配し、最上位に位置するバスケット５６の上方及び前方上部から物品を出入れするとともに、上位に位置するバスケット５６の前方上部から物品を出入れし、更に前記支持部材５５を押込んでその先端をバスケット本体５１の側面と略一致させた状態で、上位のバスケット本体５１の収容空間５７内に嵌合させて重合状態で収容するものである。
【０００５】
また、バスケット本体５１の下面周縁部に突設した高台５８に開口５９を形成し、該開口５９の前後両側部に連続させて断面略Ｌ字形の支持片６０を下面６１に下設して、該開口５９から嵌挿した板状の支持部材５５を前記支持片６０と下面６１とで側方へスライド可能に支持するとともに、該支持部材５５の上面適所に突設したダボ６２が、該支持部材５５を側方へ引出した場合に該支持部材５５の先端下方の両側突起５４間隔と両側上縁５２の凹陥部５３間隔とが、一致した状態で案内溝６３の外側縁に当止し、更に該支持部材５５を押込んだ場合にはダボ６２が案内溝６３内を移動し該支持部材５５の先端とバスケット本体５１側面とが一致した状態で前記突起５４が高台５８の側面に当止するのである。
【０００６】
【発明が解決しようとする課題】
ところで、このような従来のバスケットにあっては、下位のバスケットの上縁に設けた凹陥部に、上位のバスケットの支持部材の突起を嵌合して保持するので、一度積層して組み立てた後は、積層したバスケットを取り外すのが非常に面倒であるという問題点があった。
【０００７】
また、従来のバスケットにあっては、支持部材という部材が別途必要である上に、支持部材をスライドさせるのに、支持部材の両側を支持する支持片をバスケット底面に立設する必要があり、構造的にも複雑であることに加えて、支持強度も弱く、新技術の開発が望まれていた。
【０００８】
そこで本発明は以上のような実状に鑑みてなされたものであり、その目的とするところは、バスケットを積層するための別途部材を使用しないとともに、簡単な構造であるにもかかわらず、支持強度に優れ、且つ容易に安定的に積層したり、或いは積層後、容易に取り外すことができるバスケットを提供することにある。
【０００９】
【課題を解決するための手段】
本発明者は前述の課題解決のために鋭意研究を行った結果、内部に収納部を有するバスケット本体の相対向する側壁の上縁に、側壁より外方へ向けて延設した取付体に、略コ字状の把手の基端部を回動自在に枢支し、該把手が収納部側に回動して底壁に対して略平行な維持状態を保つべく前記上縁に上方へ開口した支持段部を設け、該支持段部に略平行に載置された把手上に他のバスケットを積層可能となし、把手を外側から下方に回動すると、把手の握持部が枢支点より内側に位置し、重合した場合、上位のバスケットの把手の握持部が下位のバスケットの支持段部に入り込むように設定したことを特徴とするバスケットを開発し、本発明を提供するものである。
【００１０】
そして、把手として、前記支持段部の肉厚分と略同一の肉厚分に設定したものを利用する方が、後述する効果により望ましい。
【００１１】
また、バスケット本体として、バスケット本体として、支持段部の高さと把手の肉厚分を略同一に設定し、また、支持段部に略平行に載置された把手の表面に凹溝を形成するとともに、該凹溝に嵌合し得る突起体を底壁の下面に形成したものを利用することがより好ましい実施例である。
【００１２】
【作用】
以上の如く本発明に係る請求項１記載のバスケットを用いた場合は、小物等の収納物を収納する場合においては、把手を外側に回動しておけばよく、また他のバスケットを積層する場合には、把手を収納部側に回動して把手を支持段部に載置させる。そして底壁に対して略平行に維持することで、把手が支持部材としての機能を果たし、他のバスケットを積層させることができる。そして積層したバスケットの把手も収納部側に回動することにより、何層でも積層することができ、更に取り外す場合には、上位のバスケットを持ち上げるだけで、極めて容易に取り外すことができる。
更に、バスケットを重合する場合は、それぞれのバスケットの把手を外側から下方に回動させると、把手が枢支点より内側に位置するため、上位のバスケットの把手の握持部が下位のバスケットの支持段部に入り込み、把手が邪魔にならず嵩張ることなく複数のバスケットを上下に重合することができる。
【００１３】
請求項２記載のバスケットを用いた場合は、バスケットを重合する場合は、それぞれのバスケットの把手を外側から下方に回動させ、一方のバスケットの収納部に他方のバスケットの底壁を重合させると、下位のバスケットの支持段部内に上位のバスケットの把手が装着される。
【００１４】
請求項３記載のバスケットを用いた場合は、積層されるバスケットの把手の表面に形成した凹溝に、積層するバスケットの底壁の下面に形成した突起体が嵌合するので、積層後、何らかの衝撃があった場合でも、容易に外れることがない。また、積層する際の位置決めが極めて容易に行える。
【００１５】
【実施例】
以下、添付図面を参照しながら、本発明のバスケットを具体化した実施例について説明する。
【００１６】
ここに、図１〜図３に示すものは、本発明のバスケットＡであり、図１は斜視図、図２は上下に積層する前の状態を示す斜視図、図３は上下に積層した状態を示す斜視図である。
【００１７】
本発明のバスケットＡは、図１に示すように、内部に収納部３を有するバスケット本体１の相対向する側壁２の上縁４適所に回動自在の把手５を設けるとともに、該把手５が収納部３側に回動して底壁６に対して略平行な維持状態を保つべく前記上縁４に上方へ開口した支持段部７を設け、該支持段部７に略平行に載置された把手５上に他のバスケットＡを積層可能とするものである。
【００１８】
そして前記支持段部７と把手５との関係について、図１を用いて説明すれば、支持段部７の側縁から外方へ向けて取付体８を延設し、且つ取付体８の両端に略コ字状の把手５を回動自在に取付ける。また把手５は、前記支持段部７の高さよりも越えない肉厚分に設定したものを利用するのである。このように支持段部７の高さと把手５の肉厚分を図１に示す如く、略同一にすれば、二点鎖点に示すように把手５が収納部３側に回動した場合、前記支持段部７の表面に当接して把手５が底壁６に対して略平行に美麗に支持され、図１の如くバスケット本体１内方へ突出するのである。また、支持段部７の肉厚分と把手５の肉厚分が略同一に設定することにより、バスケットＡを重合する際（図１０〜図１２参照）に、嵩張ることなく安定的に装着することができる。
【００１９】
そして略平行に支持された把手５上に、何ら別部材を加えず他のバスケットＡを積層することができるのである。図２は積層前の状態を示す斜視図であって、把手５上に積層しようとするバスケットＡの底壁６が当接するとともに、バスケット本体１の後壁の下面後方に挟持部１３（図６〜図８参照）を設け、積層されるバスケットＡの後壁の上縁４に挟持され、図３に示す如く、重心位置を後方にすることができる。従って安定性を高めつつ、積層されるのである。
尚、位置決めを容易にするために、図１〜図３に示す如く、把手５の握持部１１の表面に凹溝９を形成するとともに、該凹溝９に嵌合し得る突起体１０を底壁６の下面側方に形成することが最適である。また安定性もより高まる。
【００２０】
図４及び図５は、前記凹溝９と突起体１０との関係を示したものであり、図４は嵌合前の状態を示す拡大斜視図、図５は嵌合状態を示す断面図である。
このように凹溝９と突起体１０とが嵌合することにより、安定的にバスケットＡが積層できる。また、図５から明らかなように、把手５の短杆１２の長さの約半分が支持段部７で支持されているので、積層されて重量が掛かってきても、把手５が収納部３側にしなって垂れてしまうということがない。
【００２１】
図６は、本発明のバスケットＡの一部省略した底面図であり、前記底壁６の下面後方に挟持部１３が形成されている。そして図７及び図８に示す如く、積層されるバスケットＡの後壁の上縁４に挟持され、安定的に支持されるのである。このように前記した把手５の凹溝９とバスケット本体１の下面側方に設けた突起体１０との嵌合と相まって、より安定度が増すものである。
【００２２】
次に図９及び図１０に示すものは、本発明のバスケットＡを他のバスケットＡの収納部３に重合する場合を示したものであり、図９は上下に重合する前の状態を示す斜視図、図１０は上下に重合した状態を示す斜視図である。
【００２３】
図９に示すものは、図２に示す把手５を反対側に回動させたものであり、この状態で矢印の如く上位のバスケットＡを移動させれば、図１０のように重合することができる。そして重合した場合、図１１及び図１２のように、重合する上位のバスケットＡの把手５の握持部１１が下位のバスケットＡの支持段部７に入り込み、嵩張ることなく複数のバスケットＡを何段にも重合することができる。また、支持段部７の側縁から外方へ向けて延設した取付片８は、断面略逆Ｕ字形状となっているので、逆Ｕ字部分に指を引っ掛ければ容易にバスケットＡを取り外すことができる。
【００２４】
また、前記バスケット本体１の壁面にメッシュ状の開口を多数形成して通気性を良くしたり、底壁に水切り穴を設けたりして、台所、洗面所及び室内等で家庭用として用いることは勿論、小売店等での商品の陳列、事務室等での書類の整理にも業務用として使用できる。
【００２５】
更に、本願発明のバスケットＡは、全ての構成を合成樹脂から作製しており、また前壁を開放状態にしたものを図示して説明しているが、バスケットＡの形状は、何ら特徴を有するものではなく、いかなるものであっても良い。尚、前壁を開放状態にせず、単純な上方開放のバスケットＡの場合は、前記した挟持部１３は必ずしも必要ないということは言うまでもない。
【００２６】
【発明の効果】
以上の記載より明らかなように、次に記載する効果を奏する。請求項１記載のバスケットによれば、小物等の収納物を収納する場合においては、把手を外側に回動すればよく、また他のバスケットを積層する場合には、把手を収納部側に回動して把手を側壁の上縁に載置させて略水平に維持させることで、把手が支持部材としての機能を果たし、他のバスケットを何層でも積層させることができる。従って、従来のようにバスケットを積層させるための別途部材を使用せずに簡単な構造でもって積層することが可能となった。また取り外す場合には、上位のバスケットを持ち上げるだけで、極めて容易に取り外すことができる。
更に、バスケットを重合する場合は、それぞれのバスケットの把手を外側から下方に回動させると、把手が枢支点より内側に位置するため、上位のバスケットの把手の握持部が下位のバスケットの支持段部に入り込み、把手が邪魔にならず嵩張ることなく複数のバスケットを上下に重合することができる。
【００２７】
請求項２記載のバスケットによれば、バスケットを重合した場合は、下位のバスケットの支持段部内に上位のバスケットの把手の握持部が装着するので、安定感が増すとともに嵩張らない。従って、運搬時や小売店等での商品の陳列等において便利である。
【００２８】
請求項３記載のバスケットによれば、支持段部の高さと把手の肉厚分を略同一に設定しているので、把手を収納部側に回動すると、前記支持段部の表面に当接して把手が底壁に対して略平行に美麗に支持され、バスケット本体内方へ突出するのである。更に、積層されるバスケットの把手の表面に形成される凹溝に、積層するバスケットの底壁の下面に形成される突起体が嵌合することにより、積層後、何らかの衝撃があった場合でも、ずれて積層状態が崩れないのである。また、位置決めが極めて容易に行えるので、迅速且つ確実に積層することができる。
【図面の簡単な説明】
【図１】本発明に係るバスケットの斜視図
【図２】本発明に係るバスケットを上下に積層する前の状態を示す斜視図
【図３】本発明に係るバスケットを上下に積層した状態を示す斜視図
【図４】把手の凹溝と底壁の突起体とが嵌合する前の拡大斜視図
【図５】把手の凹溝と底壁の突起体とが嵌合した状態を示す断面図
【図６】本発明に係るバスケットの一部省略した底面図
【図７】挟持部と上縁とが挟持する前の状態を示す一部断面した拡大斜視図
【図８】挟持部と上縁とが挟持した状態を示す断面図
【図９】本発明に係るバスケットを上下に重合する前の状態を示す斜視図
【図１０】本発明に係るバスケットを上下に重合した状態を示す斜視図
【図１１】把手の握持部がバスケット本体の支持段部に入り込んだ状態を示す拡大斜視図
【図１２】図１１におけるａ−ａ断面図
【図１３】従来のバスケットを上下に積層した状態を示す斜視図
【図１４】従来のバスケットの両側下端にスライド出没自在に支持部材を装着する状態を示す要部の分解斜視図
【符号の説明】
Ａ  バスケット
１  バスケット本体                        ２  側壁
３  収納部                                ４  上縁
５  把手                                  ６  底壁
７  支持段部                              ８  取付体
９  凹溝                                １０  突起体
１１  握持部                              １２  短杆
１３  挟持部
５１  バスケット本体                      ５２  上縁
５３  凹陥部                              ５４  突起
５５  支持部材                            ５６  バスケット
５７  収容空間                            ５８  高台
５９  開口                                ６０  支持片
６１  下面                                ６２  ダボ
６３  案内溝
【図１】
0003583316.tif 000002
【図２】
0003583316.tif 000003
【図３】
0003583316.tif 000004
【図４】
0003583316.tif 000005
【図５】
0003583316.tif 000006
【図６】
0003583316.tif 000007
【図７】
0003583316.tif 000008
【図８】
0003583316.tif 000009
【図９】
0003583316.tif 000010
【図１０】
0003583316.tif 000011
【図１１】
0003583316.tif 000012
【図１２】
0003583316.tif 000013
【図１３】
0003583316.tif 000014
【図１４】
0003583316.tif 000015